(57)【要約】      （修正有）【課題】ロースター用消耗部品の汚れ防止を図るとともに取り扱いが簡単で、作業面、安全面及び衛生面に優れ並びに当該消耗品の耐久性の面での向上を図れるロースター用被覆カバーを提供する。【解決手段】ドレインパンの内周面側に着脱自在に装着され、上面部１２０ａおよび底面部１２０ｂに開口部１２２、１２４が形成された円筒状の本体部１２０と、本体部１２０の上面部１２０ａに外方へ指向するよう一体形成された外周片部１４０と、本体部１２０の底面部１２０ｂに内方へ指向するよう一体形成された内周片部１６０とから構成され、上面部１２０ａの開口部面積と底面部１２０ｂの開口部面積は等しく、外周片部１４０の最内周縁部から最外周縁部までの幅をＷ１とし、内周片部１６０の最内周縁部から最外周縁部までの幅をＷ２としたとき、Ｗ１＞Ｗ２となるよう形成した。【選択図】図２
0003229023.tif 000002
【実用新案登録請求の範囲】
【請求項１】
上方部位に焼かれる食材が位置し下方部位に熱源が位置して当該熱源を囲繞するよう設けられた中空状のロースター用部品の内周面側に着脱自在に装着されるものであって、
上面部及び底面部に開口部が形成された円筒状または内部が中空状で寸胴状の本体部と、
この本体部の上面部に外方へ指向するよう一体形成された外周片部と、
上記本体部の底面部に内方へ指向するよう一体形成された内周片部とから構成され、
上記本体部の上記上面部の開口部面積と上記底面部の開口部面積は等しく、
上記外周片部のその最内周縁部からその最外周縁部までの幅をＷ１とし、上記内周片部のその最内周縁部からその最外周縁部までの幅をＷ２としたとき、Ｗ１＞Ｗ２となるよう形成したことを特徴とするロースター用被覆カバー。
【請求項２】
上記本体部、上記外周片部および上記内周片部はアルミまたはアルミ合金から成ることを特徴とする請求項１記載のロースター用被覆カバー。
【請求項３】
上記本体部の少なくとも一面にはシリコーン膜が形成されていることを特徴とする請求項１または請求項２に記載のロースター用被覆カバー。
【請求項４】
上記本体部の少なくとも一面側には立体的な幾何学的な模様が形成されていることを特徴とする請求項１、請求項２または請求項３に記載のロースター用被覆カバー。
【請求項５】
上記本体部の少なくとも一面側を黒色にコーティング処理を施したことを特徴とする請求項１、請求項２、請求項３または請求項４に記載のロースター用被覆カバー。
【考案の詳細な説明】
【技術分野】
【０００１】
本考案は、下方部位に熱源が位置し上方部位に肉や魚介類等の焼かれる食材が位置する中空状のロースター用部品であって日常の点検・手入れが必要な部品、所謂炭つぼやドレインパンと称される部品の汚れ防止を図ったロースター用被覆カバー、特に取り扱いが簡単で作業面、安全面、衛生面及び耐久面での向上を図ったロースター用被覆カバーに関する。
【背景技術】
【０００２】
従来、セラミック炭加熱、ガス加熱、木炭加熱等で肉や魚介類等を加熱調理するロースターの加熱調理のコア部分は、主にアウターケーシング、インナーケーシング、ドレインパン、熱源、炭つぼ及びトップリングとから構成されているものである。或いは主にアウターケーシング、ドレインパン、熱源及びトップとから構成されているものである。熱源を囲繞する部品、所謂炭つぼやドレインパンと称される部分は日常の点検・手入れが必要な部品であり、ロースターに着脱自在に装着されている。
【０００３】
例えば、シンポ株式会社製無煙ロースター「機種名：ＳＫＲＷ」は、図６（ａ）に示すように天板６１０の中央にロースター本体６２０が位置するようキャビネット６３０に収容されている。而してロースター本体６２０は、図６（ｂ）に示すように、アウターケーシング６２１、フィルタセット６２２、インナーケーシング６２３、ドレインパン６２４、ドレインカバー６２５、バーナボディ６２６、バーナヘッド６２７、炭つぼ６２８及びトップリング６２９とから構成されている。ここで、炭つぼ６２８は、消耗部品の一つであり且つ日常の点検・手入れが必要な部品の一つである。
【０００４】
また、シンポ株式会社製無煙ロースター「機種名：ＳＰＲＶ」は、図７（ａ）に示すように天板７１０の中央にロースター本体７２０が位置するようキャビネット７３０に収容されている。而してロースター本体７２０は、図７（ｂ）に示すように、アウターケーシング７２１、バーナボディ７２２、バーナヘッド７２３、ドレインパン７２４、バーナカバー７２５、熱板７２６、トップ（下）７２７、トップ（上）７２８及び焼網７２９とから構成されている。ここで、ドレインパン７２４は、日常の点検・手入れが必要な部品の一つである。
【０００５】
ドレインパンや炭つぼは、繰返しの加熱調理による使用により食材の油分やカス或いはタレ、熱源の炭や灰等が付着して汚れるものである。汚れたままの状態で使用し続けると、加熱調理の機能低下を引き起こすだけではなく、火災等を引き起こす虞があった。従って、例えば焼き肉店にあっては、定期的に閉店後に炭つぼを取り外して湯洗いで油分や食材等の焦げの付着物をしっかりと洗い落とし綺麗にして装着し直す、或いは新たな炭つぼと交換する必要があった。
【０００６】
ここで、ドレインパンや炭つぼの取り外し・交換作業は、例えば焼き肉店に於いては、営業時間帯や閉店直後に行われることもある。この場合、ドレインパンや炭つぼが高温状態で作業が行われることもあり、作業者や来店客が火傷等を負うリスクがあることは否めないものである。また、ドレインパンや炭つぼの洗浄作業、即ち付着した油分や食材等の焦げとりの洗浄作業は、例えば表面に加工処理されたホーロー等が剥がれないよう慎重かつ丁寧に行う必要があり、時間と労力を要するものであった。さらに、ドレインパンや炭つぼの取り外し・交換作業及び洗浄作業は確実性が要求されるので、誰もが容易に行えるものではなく、ある程度の熟練者のみが対応可能なものである。
【０００７】
なお、炭つぼは定期的に洗浄を行ったとしても、熱や洗浄、経年劣化によりその耐久性には限りがあり、所詮消耗部品としての域を出ない一部品である。また、ドレインパンも同様の傾向にあることは否めないものである。
【０００８】
下記特許文献１には、吸気口を設けたガスコンロの汁受皿に敷設するものであって、バーナー露出用の円形孔の周囲に汁受溝部を設けるとともに当該汁受溝部の外方に水平フランジ部を設けたガスコンロ用マットが開示されている。このものは、マットを平面角形に形成し、その四隅の水平フランジ部の外周縁から汁受皿の汁受溝部にわたって延びる空気取り入れ用の切欠きを形成したことを特徴としている。そして、汁受皿に吸気口を設けたガスコンロに使用する場合に、煮こぼれ汁がガスコンロの汁受皿に流出することを防止でき、汁受皿に設けた吸気口の形成部位が異なる種々の機種に対してもそのまま使用して吸気口からのバーナーへの空気の流通を妨げることがなく、バーナーに確実に空気を供給でき燃焼効率を高めることができ、しかも、汁受皿上に敷設した状態でずれることもなく確実に敷設でき、周縁が損傷することも防止できて使い勝手のよいものにしている。
【０００９】
下記特許文献２には、ガスコンロのトッププレートのバーナー周辺部を覆い、トッププレートと五徳との間に敷設されるガスコンロ用マットが開示されている。このマットは、中央にバーナーに対応した開口部を有し、金属箔により形成されたリング状の枠体により構成され、この枠体の外周縁部及び内周縁部を縁巻きにより上面側に突出して設けられている。これにより、平面状に仕上げられたトッププレート上にバーナーが設けられたガスコンロに於いて、個々のバーナー周辺部での使用に適し、バーナー周辺部の汚れの防止を図っている。
【００１０】
下記特許文献３には、長尺で縦断面がレンジの汁受け皿本体の表面に沿うような形状に形成されている拡開自在な渦巻状のマット体を有し、このマット体の一側縁にマット体の汁受け皿本体への載置時にレンジの各五徳脚に嵌合し得る複数のスリットを形成し、マット体の長さをマット体の汁受け皿本体への載置時に両端部が重積され得る寸法に形成した汁受けマットが開示されている。この汁受けマットは、五徳一体型の汁受け皿上に簡単に載置できるようにして、汁漏れ防止を図っている。また、マット体を波型板により形成することにより、マット体がその長手方向に伸縮自在とされることになり、汁受け皿本体上への密着性向上を図ったものである。
【００１１】
下記特許文献４には、必要に応じて所定の方向の寸法を自由に調整することのできるプレス成形等により成形した、アルミ箔等の金属箔成形体が開示されている。この金属箔成形体は、ガスレンジのグリル排気口カバー、ガスレンジ汁受皿カバー、レンジフードカバーまたはガスレンジの周囲に立設して用いる油飛散防止パネル等に用いられるもので、種々の寸法形状に対応できるよう、必要に応じて所定の方向の寸法を自由に調整可能となるようにしたことを意図したものである。
【先行技術文献】
【特許文献】
【００１２】
【特許文献１】特開平１１−２０１４７４号公報
【特許文献２】特開２０１６−４０５１３号公報
【特許文献３】実開平６−５１７１４号公報
【特許文献４】実開平９−４２９号公報
【考案の開示】
【考案が解決しようとする課題】
【００１３】
特許文献１に開示されたものは、吸気口を設けたガスコンロの汁受皿に敷設するガスコンロ用マットであって、バーナー露出用の円形孔の周囲に汁受溝部を設けるとともに当該汁受溝部の外方に水平フランジ部を設けたに過ぎない。従って、ロースターの熱源を囲繞する部位への適用、転用、応用、即ちドレインパンや炭つぼといったような部品の汚れ対策への適用、転用、応用は極めて容易にはなし得ないものである。また、そのような思想・発想は見出せないものである。
【００１４】
特許文献２に開示されたものは、平面状に仕上げられたトッププレート上にバーナーが設けられたガスコンロに関し、個々のバーナー周辺部での使用に適し、バーナー周辺部の汚れの防止を図っているものである。従って、ロースターの熱源を囲繞する部位への適用、転用、応用、即ちドレインパンや炭つぼといったような部品の汚れ対策への適用、転用、応用は極めて容易にはなし得ないものである。また、そのような思想・発想は見出せないものである。
【００１５】
特許文献３に開示されたものは、五徳一体型のガスレンジの汁受け皿上への載置密着性の向上を図ったものである。従って、ロースターの熱源を囲繞する部位への適用、転用、応用、即ちドレインパンや炭つぼといったような部品の汚れ対策への適用、転用、応用は極めて容易にはなし得ないものである。また、そのような思想・発想は見出せないものである。
【００１６】
特許文献４に開示されたものは、必要に応じてスライド方向に長さ調整可能とした分割体から成る金属箔成形体であり、しかもその構造は独特である。従って、ロースターの熱源を囲繞する部位への適用、転用、応用、即ちドレインパンや炭つぼといったよう部品の汚れ対策への適用、転用、応用は極めて容易にはなし得ないものである。また、そのような思想・発想は見出せないものである。
【００１７】
ウィルスや細菌等の感染症の流行や経済環境の変化にもかかわらず、近時の焼き肉等のブームは衰えることがない。特に、個室タイプや一人用のものも勢いを増してきている。このような状況下では、ロースター用装着部品の安全で且つ衛生的で簡単なメンテナンスの要望も多いが、これを満たすような提案はなされていないのが実情である。
【００１８】
本考案は、上記事情を考慮してなされたもので、下方部位に熱源が位置し上方部位に肉や魚介類等の焼かれる食材が位置する中空状のロースター用部品であって日常の点検・手入れが必要な部品の汚れ防止を図るとともに、取り扱いが簡単なロースター用被覆カバーを提供することを目的とする。
【００１９】
また、本考案は、簡単な構造で容易に装着可能で、作業面、安全面及び衛生面に優れ、並びに当該部品の耐久性の面での向上を可能とするロースター用被覆カバーを提供することを目的とする。
【００２０】
さらに、本考案は、安価で生産性及び経済性に優れ且つ実用的なロースター用被覆カバーを提供することを目的とする。
【課題を解決するための手段】
【００２１】
本考案は、上記目的を達成するために以下の通りの構成とすることを特徴とする。
【００２２】
（１）  上方部位に焼かれる食材が位置し下方部位に熱源が位置して当該熱源を囲繞するよう設けられた中空状のロースター用部品の内周面側に着脱自在に装着されるものであって、上面部及び底面部に開口部が形成された円筒状または内部が中空状で寸胴状の本体部と、この本体部の上面部に外方へ指向するよう一体形成された外周片部と、上記本体部の底面部に内方へ指向するよう一体形成された内周片部とから構成され、上記本体部の上記上面部の開口部面積と上記底面部の開口部面積は等しく、上記外周片部のその最内周縁部からその最外周縁部までの幅をＷ１とし上記内周片部のその最内周縁部からその最外周縁部までの幅をＷ２としたときＷ１＞Ｗ２となるよう形成するよう構成したことを特徴とする。
【００２３】
（２）  上記（１）の構成にあって、上記本体部、上記外周片部および上記内周片部はアルミまたはアルミ合金から成るよう構成したことを特徴とする。
【００２４】
（３）  上記（１）または（２）の構成にあって、上記本体部の少なくとも一面にはシリコーン膜が形成されているよう構成したことを特徴とする。
【００２５】
（４）  上記（１）、（２）または（３）の構成にあって、上記本体部の少なくとも一面側には立体的な幾何学的な模様が形成されているよう構成したことを特徴とする。
【００２６】
（５）  上記（１）、（２）、（３）または（４）の構成にあって、上記本体部の少なくとも一面側には黒色にコーティング処理を施すよう構成したことを特徴とする。
【００２７】
上記構成によれば、中空状のロースター用部品が汚れることがないので、衛生面での向上を図れるとともに、当該部品の取り外し・交換作業を著しく低減できるものである。しかも、当該部品の洗浄作業も著しく低減できるので、耐久性の向上にも寄与できるものである。
【００２８】
また、上記構成によれば、当該部品への着脱作業のみで汚れ防止を図れるので、誰でも容易且つ安全に行えて取り扱い性に優れるとともに衛生面での効果も奏するものである。さらに、内周片部を形成することにより強度が増し、安心、安全に使用できるものである。
【００２９】
さらに、上記構成によれば、シンプルな構造であるので、安価に製造・提供でき、経済性にも優れ、極めて実用的で有用なものである。
【考案の効果】
【００３０】
本考案によれば、ロースター用部品の汚れ防止を図るとともに取り扱いが簡単なロースター用被覆カバーを提供できるものである。また、簡単な構造で作業面、安全面及び衛生面で優れ、並びに当該部品の耐久性の面での向上を図れるものである。
しかも、本考案はシンプルな構造で強度もあり、安価で生産性及び経済性に優れ且つ実用的な効果を奏するものである。
【図面の簡単な説明】
【００３１】
【図１】本考案の一実施形態に係わるロースター用被覆カバーを上面部側からみた全体の概略構成を模式的に示す図である。
【図２】同実施形態に係わり、同被覆カバーの側面部側からの断面を模式的に示す図である。
【図３】同実施形態に係わり、同被覆カバーをドレインパンに装着した状態における側面側からの断面を模式的に示す図である。
【図４】同実施形態の変形例に係わり、同被覆カバーを炭つぼに装着した状態における側面部側からの断面を模式的に示す図である。
【図５】同実施形態の他の変形例に係わり、（ａ）は表面にシリコーン膜のコーティング処理を施したロースター用被覆カバーにおける側面部側からの断面を模式的に示す図であり、（ｂ）は表面に立体的な幾何学的な模様が形成されたロースター用被覆カバーを上面部側からみた全体の概略構成を模式的に示す平面図である。
【図６】従来の無煙ロースターを示す図であり、（ａ）は無煙ロースターが組み込まれた加熱調理用テーブルであり、（ｂ）はロースター本体の分解斜視図である。
【図７】従来の他の無煙ロースターを示す図であり、（ａ）は無煙ロースターが組み込まれた加熱調理用テーブルであり、（ｂ）はロースター本体の分解斜視図である。
【考案を実施するための形態】
【００３２】
以下、本考案の一実施形態につき、図を参照して説明する。
【００３３】
本実施形態に係わるロースター用被覆カバー１０（以下、「被覆カバー１０」と称す。）は、上方部位に焼かれる食材が位置し下方部位に熱源が位置して当該熱源を囲繞するよう設けられた中空状のロースター用部品の一つであるドレインパン２０の内周面側に着脱自在に装着されるものであって、上面部１２０ａおよび底面部１２０ｂに夫々開口部１２２，１２４が形成された円筒状または内部が中空状で寸胴状の本体部１２０と、本体部１２０の上面部１２０ａに外方へ指向するよう一体形成された外周片部１４０と、本体部１２０の底面部１２０ｂに内方へ指向するよう一体形成された内周片部１６０とから構成され、本体部１２０の上面部１２０ａの開口部面積（ＳＵ）と底面部１２０ｂの開口部面積（ＳＢ）は等しく（ＳＵ＝ＳＢ）、外周片部１４０のその最内周縁部１４０ａからその最外周縁部１４０ｂまでの幅をＷ１とし、内周片部１６０のその最内周縁部１６０ａからその最外周縁部１６０ｂまでの幅をＷ２としたとき、Ｗ１＞Ｗ２となるよう形成したものである。
【００３４】
即ち、被覆カバー１０は、セラミック炭加熱、ガス加熱、木炭加熱等で肉や魚介類等を加熱調理するロースターのコア部分、即ち主にアウターケーシング、ドレインパン２０、熱源、トップ（下、上）及び焼網とから構成されている部分に於いて、熱源を囲繞する部品であるドレインパン２０に着脱自在に装着されるものである。
【００３５】
ここで、ドレインパン２０は、上方部位に焼かれる食材が位置し下方部位に熱源が位置して当該熱源を囲繞するよう設けられ、表面にホーロー加工が施された金属製鋳物である。また、ドレインパン２０は、その上面部は略全面的に開口状態であり、その底面部は中央部位に円筒状の突起物が穿設されている。而してドレインパン２０の内周側面は、円筒状を呈する。ただし、ドレインパン２０の内周側面形状はこれに限らず、中空状な寸胴を呈するものであってもよく、他種々のものがある。
【００３６】
さて、被覆カバー１０は、ドレインパン２０の内周面側に着脱自在に装着されるアルミ素材で形成されており、その厚みは５０±５μｍである。また、被覆カバー１０は、ドレインパン２０の内周面側形状と相似するよう円筒状を呈し、ドレインパン２０への装着時には本体部１２０の外周面部１２０ｄ側がドレインパン２０の内周面に密着するよう、ドレインパン２０の内径（φ１）より被覆カバー１０の外径（φ２）が僅かに小さくなるよう形成されている。
【００３７】
また、被覆カバー１０の本体部１２０の上面部１２０ａに一体形成された外周片部１４０は、本体部１２０に対して直角の位置関係となるよう水平方向に外方へ指向するよう、その最内周縁部１４０ａからその最外周縁部１４０ｂまでの幅Ｗ１を１７．５ｍｍにて形成されている。他方、底面部１２０ｂに一体形成された内周片部１６０は、本体部１２０に対して直角の位置関係となるよう水平方向に内方へ指向するよう、その最内周縁部１６０ａからその最外周縁部１６０ｂまでの幅Ｗ２を１０ｍｍにて形成されている。なお、夫々の幅Ｗ１，Ｗ２は、これに限らずＷ１＞Ｗ２となるよう適宜変更して形成してよいことは勿論である。
【００３８】
斯様な被覆カバー１０は、プレス加工により形成されるものである。なお、素材はアルミに限らずアルミ合金や他の材質のものでもよいことは勿論である。
【００３９】
また、被覆カバー１０の内周面部１２０ｃには何等コーティング処理を施してはないが、後述する変形例のようにシリコーン膜のコーティング処理を施してもよいことは勿論である。また、シリコーンに限らず他のコーティング処理でもよい。さらには、幾何学的な模様、例えば格子状の模様や凸状または凹状の立体的な線状模様等を形成してもよいものである。またさらには、黒色にコーティング処理を施してもよいものである。
【００４０】
上記構成につき、その作用を以下に述べる。
【００４１】
被覆カバー１０をドレインパン２０に装着するためには、
被覆カバー１０の上面部１２０ａを上方にして底面部１２０ｂを下方に位置させた状態で、ドレイパン２０の上方から下方に向けて被覆カバー１０をドレインパン２０の内側に位置するよう装着させる。
【００４２】
すると、被覆カバー１０の外周片部１４０がドレインパン２０の上部を覆うように載置される状態になり、また内周片部１６０がドレインパン２０の下部にて載置固定されるような状態となる。而して、被覆カバー１０の外周面部１２０ｄとドレインパン２０の内周面が面接触の密着状態となり、ドレイパン２０の内周面と上部が被覆カバー１０により被覆されることになる。
【００４３】
ここで、被覆カバー１０の内周片部１６０は水平方向で内方へ指向するよう形成されているので、被覆カバー１０の強度を増すよう機能することになる。特に、垂直方向に加わる力に対して強度が増すものである。また、容易には型崩れや損傷したりしないよう機能するものである。
【００４４】
斯様な状態で食材が加熱調理されて食材からの油分やカス、タレ等が落下してきたとしても、また、熱源の炭や灰等が飛散したとしても、それらは被覆カバー１０の内周面部１２０ｃに付着するだけで、ドレインパン２０の内周面に直接的に付着することはない。
【００４５】
装着された被覆カバー１０をドレインパン２０から取り外すには、例えば外周片部１４０を把持して上方へ引き上げればドレインパン２０から容易に離間できる。
【００４６】
上記実施形態によれば、ドレインパン２０に着脱自在に被覆カバー１０を装着可能としたので、従来のようにドレインパン２０に加熱調理による食材の油分やカス或いはタレ、熱源の炭や灰等が付着することがなくなり汚れを防止でき、衛生面での向上を図れるものである。しかも、被覆カバー１０の着脱作業は熟練性を要すことなく誰でも安全且つ容易に行えるので、取り扱い性に優れ作業効率の向上を図れるものである。
【００４７】
また、上記実施形態によれば、ドレインパン２０の取り外し・交換作業を低減できるとともに、ドレインパン２０の洗浄作業も著しく低減できるので、従来のように例えばホーロー加工された表面を傷めてしまう虞も著しく低減でき、耐久性の向上にも寄与できるものである。加えて、被覆カバー１０は、ドレインパン２０に比べて極めて安価に製造・提供できるもである。
【００４８】
なお、本考案は上記実施形態に限定されることなく、その趣旨を逸脱しない限り種々の変形が可能なことは勿論である。
【００４９】
例えば、上記実施形態の変形例として図４に示すように、内部が中空状の寸胴状や円筒状の炭つぼ３０の内側に着脱自在に装着することも可能である。そして、ドレインパン２０への装着時と同様な効果が期待できるものである。
【００５０】
また例えば、上記実施形態の変形例として図５の（ａ）に示すように、本体部１２０の少なくとも一面側、特に内周面部１２０ｃ側にシリコーン膜１８０を形成することにより、汚れ等が付着し難くなり繰返しの使用が可能となるものである。
【００５１】
さらに、例えばさらなる変形例として図５の（ｂ）に示すように、本体部１２０の少なくとも一面側、例えば内周面部１２０ｃ及び外周面部１２０ｄに立体的な幾何学的な模様、例えば格子状の模様や凸状または凹状の立体的な模様１９０を形成することにより、ドレインパン２０の内周面との間で当該模様に沿った僅かな空隙が形成されることになり、装着された被覆カバー１０のドレインパン２０からの円滑な取り外しをも期待できるものである。
【００５２】
またさらなる変形例としては、図５の（ａ）に示すシリコーン膜１８０の形成と同様に、黒色にコーティング処理を施してもよいものである。黒色にすることにより、汚れ等が目立たなくなり、連続的な使用も可能となり、被覆カバー１０の交換頻度も低減できるという実用的効果を奏するものである。
【００５３】
なお、被覆カバー１０が装着される部品は、ドレインパンや炭つぼに限らず、上方部位に焼かれる食材が位置し下方部位に熱源が位置して当該熱源を囲繞するよう設けられた中空状のロースター用部品であれば、適用できることは勿論である。
【産業上の利用可能性】
【００５４】
本考案のロースター用被覆カバーは、従来に比べて著しくシンプルな構造でコンパクトな炭つぼやドレインパンと称される部品の汚れ防止を図った被覆カバーの提供を実現することができ、しかも、取り扱いが簡単で作業面、安全面、衛生面及び耐久面での向上を図れるものである。従って、家庭用ガスコンロの五徳を囲繞するようにして被覆カバーを円筒状または中空の円錐台状に組立て、上面開口部に網を設置して焼かれる食材を載置すれば、下方部位にガスコンロの熱源が位置することになるので、家庭用ガスコンロへの適用も可能となり、様々な対象物の被覆カバーとして使用することができるため、ますます市場の拡大が期待できものである。
【符号の説明】
【００５５】
１０      …ロースター用被覆カバー
２０      …ドレインパン
３０      …炭つぼ
１２０    …本体部
１２０ａ  …上面部
１２０ｂ  …底面部
１２０ｃ  …内周面部
１２０ｄ  …外周面部
１４０    …外周片部
１４０ａ  …最内周縁部
１４０ｂ  …最外周縁部
１６０    …内周片部
１６０ａ  …最内周縁部
１６０ｂ  …最外周縁部
１８０    …シリコーン膜
【図１】
0003229023.tif 000003
【図２】
0003229023.tif 000004
【図３】
0003229023.tif 000005
【図４】
0003229023.tif 000006
【図５】
0003229023.tif 000007
【図６】
0003229023.tif 000008
【図７】
0003229023.tif 000009